(57)【要約】【課題】個人のＡＶデータをネットワーク経由であたかも家庭内にデータがあるかのごとく利用可能なパーソナルＡＶデータ視聴システムを提供する。【解決手段】インターネット３０に高速通信回線で接続され、かつ、ＡＶデータの視聴が可能なＰＣ１０と、インターネット３０からのＡＶデータを保存するための大容量メモリを有するＡＶセンター２０とを少なくとも備え、インターネット３０を介して、ＡＶデータをＡＶセンター２０に送信し、かつ、ＡＶセンター２０から返送されてきたＡＶデータを再生する機能を有する個人ユーザ専用のＡＶ利用ソフトウェアが、ＡＶセンター２０の運用者から提供されて、該ＡＶ利用ソフトウェアをＰＣ１０にインストールすることによって、インターネット３０を介して、当該個人ユーザのＡＶデータを、ＰＣ１０からＡＶセンター２０に保存し、かつ、ＡＶセンター２０に保存されたＡＶデータをＰＣ１０に返送させて再生する。【選択図】        図１
2008227793.tif 000002
【特許請求の範囲】
【請求項１】
ネットワークに高速通信回線で接続され、かつ、ＡＶデータを視聴することが可能な個人ユーザ向けの情報端末と、前記ネットワークを経由して前記情報端末からの個人ユーザのＡＶデータを受け取って保存し、かつ、前記情報端末からの要求に応じて、保存した個人ユーザのＡＶデータを当該情報端末に前記ネットワークを介して送信するＡＶセンターとを少なくとも備えたパーソナルＡＶデータ視聴システムにおいて、ＡＶデータを読み取って前記ＡＶセンターに前記ネットワークを介して送信し、かつ、前記ネットワークを介して前記ＡＶセンターに対してＡＶデータの返送を要求し、返送されてきたＡＶデータを再生して画面表示する機能を有する個人ユーザごとに専用のＡＶ利用ソフトウェアが、前記ＡＶセンターの運用者から提供されて、個人ユーザ向けの前記情報端末に当該個人ユーザ専用の前記ＡＶ利用ソフトウェアをインストールすることによって、前記ネットワークを介して、当該個人ユーザのＡＶデータを、前記情報端末から前記ＡＶセンターに保存し、かつ、前記ＡＶセンターに保存された個人ユーザのＡＶデータを前記情報端末に返送させて、再生することを特徴とするパーソナルＡＶデータ視聴システム。
【請求項２】
前記ＡＶ利用ソフトウェアを前記情報端末にインストールする際に、個人認証用のパスワードの入力を要求し、パスワードを用いた個人認証が得られた場合にのみ、前記ＡＶ利用ソフトウェアのインストールを許可することを特徴とする請求項１に記載のパーソナルＡＶデータ視聴システム。
【請求項３】
前記ＡＶ利用ソフトウェアは、前記情報端末に外部接続されたＡＶ機器と連携して、前記ＡＶ機器から前記情報端末を経由して前記ＡＶセンターにＡＶデータを転送させ、また、前記ＡＶセンターからのＡＶデータを前記情報端末を経由して前記ＡＶ機器に転送することが可能であることを特徴とする請求項１または２に記載のパーソナルＡＶデータ視聴システム。
【請求項４】
前記ＡＶ利用ソフトウェアは、ＵＳＢメモリに格納されており、ＵＳＢメモリを前記情報端末に装着することにより、前記情報端末上で当該ＡＶ利用ソフトウェアを起動することができることを特徴とする請求項１ないし３のいずれかに記載のパーソナルＡＶデータ視聴システム。
【請求項５】
前記ＡＶ利用ソフトウェアは、個人ユーザのＡＶデータを前記ＡＶセンターに送信する際に、前記ＡＶデータを暗号化して前記ＡＶセンターに送信し、前記ＡＶセンターから返送されてきた前記ＡＶデータを再生する際に、暗号化されている前記ＡＶデータを復号することを特徴とする請求項１ないし４のいずれかに記載のパーソナルＡＶデータ視聴システム。
【請求項６】
前記ＡＶ利用ソフトウェアは、個人ユーザのＡＶデータを前記ＡＶセンターに送信する際に、前記ＡＶデータを圧縮して前記ＡＶセンターに送信し、前記ＡＶセンターから返送されてきた前記ＡＶデータを再生する際に、圧縮されている前記ＡＶデータを伸長することを特徴とする請求項１ないし５のいずれかに記載のパーソナルＡＶデータ視聴システム。
【請求項７】
前記ネットワークが、インターネット、仮想的な専用ネットワークを形成する仮想専用網、帯域保証された専用線、または、地域ごとに設置されたローカル専用網のいずれか１ないし複数からなっていることを特徴とする請求項１ないし６のいずれかに記載のパーソナルＡＶデータ視聴システム。
【請求項８】
前記情報端末が、ハードディスクを備えたＰＣ（パーソナルコンピュータ）またはハードディスクを備えていないシンクライアント端末からなっていることを特徴とする請求項１ないし７のいずれかに記載のパーソナルＡＶデータ視聴システム。
【請求項９】
前記情報端末が、携帯電話、モバイルＰＣ、携帯情報端末のいずれかからなっていることを特徴とする請求項１ないし７のいずれかに記載のパーソナルＡＶデータ視聴システム。
【請求項１０】
前記情報端末として、個人ユーザ所有の情報端末のみならず、前記ＡＶ利用ソフトウェアをＵＳＢメモリ起動アプリケーションとすることにより、家庭外の環境に共同利用可能な形態で設置されている情報端末を用いることを可能とすることを特徴とする請求項１ないし９のいずれかに記載のパーソナルＡＶデータ視聴システム。
【発明の詳細な説明】
【技術分野】
【０００１】
本発明は、パーソナルＡＶデータ視聴システムに関し、特に、個人ユーザが、ネットワーク上に設置されたＡＶセンターに当該個人ユーザのＡＶデータを保存し、かつ、再生することが可能なパーソナルＡＶデータ視聴システムに関する。
【背景技術】
【０００２】
これまでは、ＰＣ（パーソナルコンピュータ）の性能、通信回線速度、ストレージ機器の価格などがネックとなり、高信頼性・大容量・高安定性を備えたコンテンツサービスを、ネットワークを介して、個人向けに提供するビジネスモデルは実現し難かった。もしくは、実現できたとしても、個人の利用は想定することができなかった。ところが、近年、ＰＣの処理能力の増大、さらにＡＤＳＬ、ＦＴＴＨに代表されるインターネット接続速度の高速化、また、ハードディスクなどのストレージ製品の低価格化などが相俟って進展してきたことによって、パーソナルな利用（個人利用）が実現し得る可能性が生まれてきた。
【０００３】
例えば、特許文献１の特開２００４-２６６７９０号公報「パーソナルコンテンツのアーカイブおよびオンライン視聴サービスを提供するビジネス方法」においては、個人のビデオ映像データを代理店経由で預かって、デジタルビデオ形式のデータファイルに変換して集中管理されたデータセンターに登録し、当該個人がＰＣやＴＶ（テレビジョン）を用いて、該データセンターに高速回線経由でアクセスして、該データセンターから所望のデータファイルをいわゆるＶＯＤ（ビデオ・オン・デマンド）形態で読み出して視聴することを可能としている。
【特許文献１】特開２００４-２６６７９０号公報（第５−６頁）
【発明の開示】
【発明が解決しようとする課題】
【０００４】
しかしながら、前記特許文献１に記載の技術のように、各代理店にて個人のＡＶデータを預かってデータセンターに保存して、ネットワークを介して視聴することを可能とするデータ保存サービスは存在しているものの、ネットワークを介して、ＡＶデータを登録することを可能とするサービスとはなっていない。あるいは、音楽・動画などのＡＶデータを、インターネットを経由して視聴することができるＡＶ配信サービスも存在しているが、実現可能なサービスとして用意されているコンテンツは、既存の放送番組や映画に関するもののみであり、個人的なＡＶデータを扱ったものは存在していない。
【０００５】
また、ネットワークを介してデータの登録や再生の双方を実施するサービスが存在していたとしても、実現可能なサービスとしては、文書／写真などを基本とする比較的容量が小さいデータのみである場合が多い。このため、ビデオテープのようなアナログデータも含めて大量に撮影した個人的なＡＶデータを個人で保存／再生するためには、家庭内で大容量のストレージ製品を購入し、かつ、アナログデータをデジタル化して保存する必要があったり、あるいは、家庭内でネットワークを構築するために専門的な知識が必要としたりという問題があった。
【０００６】
さらには、ＡＶデータの登録や再生を行うユーザ個人の情報端末としては、ハードディスクを備えたＰＣなど比較的高機能な情報端末が対象となっており、ハードディスクを備えていない簡易なシンクライアント端末に関しては、ビジネス用のみであり、個人が使用できるような用途は存在していなかった。
【０００７】
本発明は、かかる事情に鑑みてなされたものであり、個人が収集したＡＶデータを、簡単な操作で、例えばインターネットなどのネットワーク上のＡＶセンターに保存し、視聴することが可能なパーソナルＡＶデータ視聴システムを提供することにある。
【０００８】
つまり、本発明は、例えばインターネットへの接続環境があるＰＣやシンクライアント端末などの情報端末を用いて、個人のＡＶデータ（ＴＶ録画データ、ＣＤ録音データ、個人のビデオカメラ録画データ、過去のＶＨＳ録画データなど）を、ネットワーク経由で、あたかも家庭内にデータがあるかのごとく利用できる環境を提供することを目的としている。さらに、個人のＡＶデータを例えばインターネットなどのネットワーク経由でＡＶセンターに保存したり、保存したＡＶデータを再生したりする個人専用のＡＶ利用ソフトウェアを用意し、該ＡＶ利用ソフトウェアの立ち上げにパスワードなどの個人認証を適用することにより、他人にＡＶデータを盗聴されることを防止可能とすることを目的とする。
【課題を解決するための手段】
【０００９】
前述の課題を解決するため、本発明によるパーソナルＡＶデータ視聴システムは、次のような特徴的な構成を採用している。
【００１０】
（１）ネットワークに高速通信回線で接続され、かつ、ＡＶデータを視聴することが可能な個人ユーザ向けの情報端末と、前記ネットワークを経由して前記情報端末からの個人ユーザのＡＶデータを受け取って保存し、かつ、前記情報端末からの要求に応じて、保存した個人ユーザのＡＶデータを当該情報端末に前記ネットワークを介して送信するＡＶセンターとを少なくとも備えたパーソナルＡＶデータ視聴システムにおいて、ＡＶデータを読み取って前記ＡＶセンターに前記ネットワークを介して送信し、かつ、前記ネットワークを介して前記ＡＶセンターに対してＡＶデータの返送を要求し、返送されてきたＡＶデータを再生して画面表示する機能を有する個人ユーザごとに専用のＡＶ利用ソフトウェアが、前記ＡＶセンターの運用者から提供されて、個人ユーザ向けの前記情報端末に当該個人ユーザ専用の前記ＡＶ利用ソフトウェアをインストールすることによって、前記ネットワークを介して、当該個人ユーザのＡＶデータを、前記情報端末から前記ＡＶセンターに保存し、かつ、前記ＡＶセンターに保存された個人ユーザのＡＶデータを前記情報端末に返送させて、再生するパーソナルＡＶデータ視聴システム。
（２）前記ＡＶ利用ソフトウェアを前記情報端末にインストールする際に、個人認証用のパスワードの入力を要求し、パスワードを用いた個人認証が得られた場合にのみ、前記ＡＶ利用ソフトウェアのインストールを許可する上記（１）のパーソナルＡＶデータ視聴システム。
（３）前記ＡＶ利用ソフトウェアは、前記情報端末に外部接続されたＡＶ機器と連携して、前記ＡＶ機器から前記情報端末を経由して前記ＡＶセンターにＡＶデータを転送させ、また、前記ＡＶセンターからのＡＶデータを前記情報端末を経由して前記ＡＶ機器に転送することが可能である上記（１）または（２）のパーソナルＡＶデータ視聴システム。
（４）前記ＡＶ利用ソフトウェアは、ＵＳＢメモリに格納されており、ＵＳＢメモリを前記情報端末に装着することにより、前記情報端末上で当該ＡＶ利用ソフトウェアを起動することができる上記（１）ないし（３）のいずれかのパーソナルＡＶデータ視聴システム。
（５）前記ＡＶ利用ソフトウェアは、個人ユーザのＡＶデータを前記ＡＶセンターに送信する際に、前記ＡＶデータを暗号化して前記ＡＶセンターに送信し、前記ＡＶセンターから返送されてきた前記ＡＶデータを再生する際に、暗号化されている前記ＡＶデータを復号する上記（１）ないし（４）のいずれかのパーソナルＡＶデータ視聴システム。
（６）前記ＡＶ利用ソフトウェアは、個人ユーザのＡＶデータを前記ＡＶセンターに送信する際に、前記ＡＶデータを圧縮して前記ＡＶセンターに送信し、前記ＡＶセンターから返送されてきた前記ＡＶデータを再生する際に、圧縮されている前記ＡＶデータを伸長する上記（１）ないし（５）のいずれかのパーソナルＡＶデータ視聴システム。
（７）前記ネットワークが、インターネット、仮想的な専用ネットワークを形成する仮想専用網、帯域保証された専用線、または、地域ごとに設置されたローカル専用網のいずれか１ないし複数からなっている上記（１）ないし（６）のいずれかのパーソナルＡＶデータ視聴システム。
（８）前記情報端末が、ハードディスクを備えたＰＣ（パーソナルコンピュータ）またはハードディスクを備えていないシンクライアント端末からなっている上記（１）ないし（７）のいずれかのパーソナルＡＶデータ視聴システム。
（９）前記情報端末が、携帯電話、モバイルＰＣ、携帯情報端末のいずれかからなっている上記（１）ないし（７）のいずれかのパーソナルＡＶデータ視聴システム。
（１０）前記情報端末として、個人ユーザ所有の情報端末のみならず、前記ＡＶ利用ソフトウェアをＵＳＢメモリ起動アプリケーションとすることにより、家庭外の環境に共同利用可能な形態で設置されている情報端末を用いることを可能とする上記（１）ないし（９）のいずれかのパーソナルＡＶデータ視聴システム。
【発明の効果】
【００１１】
本発明のパーソナルＡＶデータ視聴システムによれば、以下のような効果を得ることができる。
【００１２】
個人ユーザは、インターネットへの接続環境があるＰＣやシンクライアント端末などの情報端末を用いて、ＵＳＢメモリなどにより提供された個人専用のＡＶ利用ソフトウェアを立ち上げるだけで、インターネットなどのネットワーク経由でＡＶセンターにアクセスして、個人のＡＶデータ（ＴＶ録画データ、ＣＤ録音データ、個人のビデオカメラ録画データ、過去のＶＨＳ録画データなど）を、あたかも家庭内にデータがあるかのごとく利用することができる環境を提供することができる。
【００１３】
而して、個人ユーザは、インターネットなどのネットワークへの接続知識さえあれば、記憶容量を気にせずに、大容量の記憶容量のメモリを備えたＡＶセンターに、個人のＡＶデータを保存することができ、保存した個人のＡＶデータを視聴して楽しむことが可能となる。
【００１４】
また、個人専用のＡＶ利用ソフトウェアはパスワード認証を使用する仕組みとして、個人専用のＡＶ利用ソフトウェアが格納されている例えばＵＳＢメモリなどを紛失した場合であっても、個人のＡＶデータを他人に視聴される恐れは無くなり、個人のプライバシを確保することもできる。
【発明を実施するための最良の形態】
【００１５】
以下、本発明によるパーソナルＡＶデータ視聴システムの好適な実施例について添付図を参照して説明する。
【００１６】
（本発明の特徴）
本発明の実施例の説明に先立って、本発明の特徴についてまず説明する。家庭内で個人が所有しているプライベイトな映像や音楽等のＡＶデータを、ハードディスクを備えて比較的高機能・高性能のＰＣ（パーソナルコンピュータ）やハードディスクを備えていない簡易なシンクライアント端末などの情報端末を通して、インターネットなどのネットワークへの高速回線（ＡＤＳＬ、ＦＴＴＨ等）を利用して、当該個人用として契約済みのＡＶセンターにアクセスして、あたかも自分が所有しているハードディスク等にアクセスするような感覚で保存するとともに、ＡＶセンターに保存した個人のＡＶデータを再生して視聴することができる環境を提供することを、特徴としている。
【００１７】
操作は簡単であり、各個人専用にＡＶデータ保存／再生用のＡＶ利用ソフトウェアをあらかじめ用意しており、各個人のＰＣやシンクライアント端末などの情報端末にインストールして、家庭内でそれぞれの個人のメディアに録画／再生、録音／再生する場合と同様のイメージで情報端末上のＡＶ利用ソフトウェアを操作することによって、保存先／再生元のＡＶセンターにインターネットなどのネットワークを介してアクセスし、保存したり、再生したりする。
【００１８】
さらに、該ＡＶ利用ソフトウェアをＵＳＢメモリとして提供し、ＵＳＢメモリから立ち上げることを可能とすることによって、各個人の家庭内のＰＣなどの情報端末以外であってもＡＶデータの保存や再生を可能とし、インターネットなどのネットワークにさえ接続されていれば、ＵＳＢインタフェースを有する如何なる情報端末であっても、例えばインターネットカフェなどからでも、ＡＶデータをＡＶセンターに保存したり、保存されているＡＶデータを再生したりすることができる環境を提供する。
【００１９】
ただし、プライバシに関するセキュリティを確保するために、前記ＡＶ利用ソフトウェアを立ち上げる際には、パスワード認証を必要とするように構成している。さらには、情報端末としては、ＰＣやシンクライアント端末のみならず、携帯電話やモバイルＰＣや携帯情報端末などのモバイル端末からであっても、ＡＶセンターにアクセスして、保存されているＡＶデータを視聴することができる。
【００２０】
図１は、本発明のパーソナルＡＶデータ視聴システムの概念を説明するための概念図であり、本発明のパーソナルＡＶデータ視聴システムを、個人ユーザ所有の情報端末としてＰＣ１０を用い、ＡＶデータの転送用のネットワークとしてインターネット３０を用い、また、個人ユーザ向けのデータセンターとして大容量のメモリ容量の記憶媒体を備えたＡＶセンター２０を用いて構成する場合の一実施例を説明している。
【００２１】
図１において、利用者である個人ユーザは、当該個人ユーザのＰＣ１０に、個人のＡＶデータ（ＴＶ録画データ、個人動画データ、音楽データ等）を保存している状態で、ＰＣ１０から高速通信回線（ＡＤＳＬ、ＦＴＴＨ等）４０を経由してインターネット３０に接続し、インターネット３０の通信回線５０に接続されているＡＶセンター２０にアクセスして、ＰＣ１０に保存されている個人のＡＶデータをＡＶセンター２０に保存する。
【００２２】
ＡＶセンター２０はあらかじめ契約済みの個人からのアクセスであれば受け付けて、契約記憶容量の範囲内であれば、１つのＡＶデータのみならず、複数のＡＶデータを保存することが可能であるとともに、契約済みの個人からの再生要求に応じて、保存している当該個人のＡＶデータを読み出して、インターネット３０を経由して、要求元のＰＣ１０に対して配信する。
【００２３】
ここで、ＰＣ１０には、個人のＡＶデータをＰＣ１０からＡＶセンター２０に保存したり、逆に、ＡＶセンター２０に保存されている当該個人のＡＶデータを再生したりすることができる当該個人専用のＡＶ利用ソフトウェアを立ち上げておく。
【００２４】
さらに、個人専用のＡＶ利用ソフトウェアを、ＵＳＢメモリから直接立ち上げることを可能なようにし、該ＡＶ利用ソフトウェアそのものを持ち運び可能な状態に設定しておくことにすれば、当該個人は、各家庭内のＰＣ１０のみに限らず、インターネット３０を利用環境が整っているＰＣであれば、如何なるＰＣであっても、ＵＳＢインタフェースを利用してＡＶ利用ソフトウェアを立ち上げて、インターネット３０上のＡＶセンター２０にアクセスすることができる。
【００２５】
また、個人専用のＡＶ利用ソフトウェアの立ち上げに際しては、各個人のパスワードの入力など個人認証を行うプロセスが含まれており、他人が該ＡＶ利用ソフトウェアを使用することができないように設定されている。
【００２６】
また、ＡＶデータを、インターネット３０を介して、ＰＣ１０とＡＶセンター２０との間を転送したり、ＡＶセンター２０に蓄積したりした際に、ＡＶデータの情報漏洩を防止するために、ＰＣ１０にてデジタル化したＡＶデータを暗号化してＡＶセンター２０に送信し、かつ、ＡＶセンター２０からの暗号化されたＡＶデータをＰＣ１０にて復号する暗号化機能が、ＡＶ利用ソフトウェアに組み込まれている。さらに、ＡＶデータを、インターネット３０を介して、ＰＣ１０とＡＶセンター２０との間を転送したり、ＡＶセンター２０に蓄積したりした際に、ＡＶデータの転送量や蓄積量を低減するために、ＰＣ１０にてデジタル化したＡＶデータを圧縮してＡＶセンター２０に送信し、かつ、ＡＶセンター２０からの圧縮されたＡＶデータをＰＣ１０にて伸長する圧縮・伸長機能も、ＡＶ利用ソフトウェアに組み込まれている。
【００２７】
さらには、ＡＶ利用ソフトウェアは、ＰＣ１０に外部接続したＡＶ機器（ＴＶ、ビデオ、ＣＤプレーヤ、ＤＶＤプレーヤなど）と連携して、簡単な操作で、ＰＣ１０のディスプレイにて視聴することができるとともに、ＡＶ機器からＰＣ１０に転送されたＡＶデータをインターネット３０を経由してＡＶセンター２０に保存することもできる。もちろん、ＡＶセンター２０に保存したＡＶデータをインターネット３０を経由して、ＰＣ１０で視聴することもできるし、外部接続したＡＶ機器に転送することもできる。
【００２８】
さらに、家庭内のＰＣ１０やインターネット３０の利用環境を有するＰＣのみならず、携帯電話からのインターネット３０を経由したＡＶセンター２０に対するアクセスも可能とし、ＡＶセンター２０に保存されている当該携帯電話の使用者個人のＡＶデータを、携帯電話で再生することも可能である。
【００２９】
而して、ＡＶセンター２０をあたかもＰＣ１０内のハードディスクと同様の感覚で利用可能としており、ＡＶセンター２０に保存したＡＶデータをＰＣ１０内のハードディスク内のＡＶデータのように扱う環境を提供することができる。
【００３０】
この結果、各個人が、当該個人専用のＡＶ利用ソフトウェアの使用料（初期費用およびメンテナンス費用）、ＡＶセンター２０内のメモリ使用料（契約記憶容量に応じた料金体系）を負担するだけで、本パーソナルＡＶデータ視聴システムを利用することができる環境を提供するというビジネルモデルを構築することができる。また、インターネット３０のプロバイダのプロバイダ契約とセットにしてパーソナルＡＶデータ視聴システムの利用サービスを提供することにすれば、当該プロバイダに対する契約者の増加に貢献することができるという副次的な波及効果も期待することができる。
【００３１】
なお、前述のように、ＵＳＢメモリを用いて個人専用のＡＶ利用ソフトウェアを立ち上げることが可能としている場合、家庭内以外のホテル内、ホットスポット、インターネットカフェなどの場所であっても、インターネット３０に接続することが可能なＰＣがあれば、家庭内のＰＣ１０と同様な環境を構築することができ、どこからでも、ＡＶセンター２０に保存しているお気に入りの個人ＡＶデータとか、家庭内のＰＣ１０からＡＶセンター２０に録画しておいたＴＶ番組なども視聴することができる。すなわち、各個人ユーザにとって、時間、場所に囚われることなく、個人向けのＡＶ視聴環境を得ることができる。さらに、携帯電話からもアクセス可能としているので、移動中も含めてさらに広範囲な場所で個人向けのＡＶ視聴環境を取得することが可能となる。
【００３２】
（実施例の構成）
図２は、本発明のパーソナルＡＶデータ視聴システムの構成の一例を示すネットワーク構成図である。図２に示すネットワーク構成図においては、図１の場合と同様、個人用の情報端末としてＰＣ１０を用い、ＡＶセンター２０が接続されているネットワークとしてインターネット３０を用いている場合について示している。個人用のＰＣ１０は、前述のように、ＡＤＳＬ、ＦＴＴＨなどの高速通信回線４０を使用してインターネット３０に接続できる環境となっている。また、個人用のＰＣ１０には、ＴＶ１１、ＣＤ１２、ビデオカメラ１３、ビデオデッキ１４、ＤＶＤ／ＨＤＤプレーヤ１５なども外部接続可能な構成とされており、それぞれとＡＶデータのやり取りができるようになっている。
【００３３】
個人用のＰＣ１０は、ＵＳＢメモリ１６から立ち上げた当該個人専用のＡＶ利用ソフトウェアを使用することによって、ＰＣ１０内に取り込んだＡＶデータを視聴することが可能となっており、また、インターネット３０を経由してＡＶセンター２０にＡＶデータを保存することが可能である。また、ＡＶ利用ソフトウェアを使用して、ＡＶセンター２０にアクセスして、ＡＶセンター２０内のＡＶデータをインターネット３０経由でＰＣ１０内に取り込むことによって視聴することができる。
【００３４】
また、ホテル内やホットスポット、インターネットカフェなどの家庭外環境７０においても、インターネット３０に接続することができるＰＣを用いることが可能であれば、家庭内のＰＣ１０と同様、ＡＶセンター２０を利用する環境を整えることができる。また、ＡＶセンター２０にＡＶデータを保存したり、ＡＶデータを視聴したりする個人用の情報端末としては、ハードディスクを備えたＰＣ１０に限るものではなく、ハードディスクを備えていない簡易なシンクライアント端末であっても良い。さらには、モバイル環境であっても、携帯電話１７、モバイルＰＣ１８や携帯情報端末などのモバイル端末を使用して、基地局６０を経由してインターネット３０からＡＶセンター２０にアクセスする環境を構築することができる。ただし、携帯電話１７などのモバイル端末を利用する場合は、ＡＶセンター２０へＡＶデータを送り込むことは原則として実施せずに、ＡＶセンター２０に保存されているＡＶデータを視聴する動作のみとすることが現実的である。
【００３５】
次に、本発明によるパーソナルＡＶデータ視聴システムを利用する際にユーザが実施すべき手順は次のごとくである。まず、インターネット接続環境を整えるためにプロバイダ契約を行う。この時、ＡＶデータの転送のために、通信回線としてはＡＤＳＬ、ＦＴＴＨ等のいわゆる高速通信回線が必須となる。次に、本パーソナルＡＶデータ視聴システムの契約を行うが、この時、当該ユーザ個人のＡＶデータの保存量に応じてＡＶセンター２０の契約記憶容量を指定する。通常、利用料金は契約記憶容量の大小に応じて変動する料金体系となっている。
【００３６】
なお、ＡＶセンター２０の契約記憶容量は、契約後においても、オンラインで、随時変更が可能な構成としており、柔軟なＡＶ利用環境としている。また、ＰＣにインストールする個人専用のＡＶ利用ソフトウェアの利用料とメンテナンス費用も、契約時に決定する。
【００３７】
契約により、個人専用のＡＶ利用ソフトウェアが格納されたＵＳＢメモリと、該ＡＶ利用ソフトウェアの立ち上げに用いる個人認証用の仮パスワードがユーザに配布されるとともに、ＡＶセンター２０に当該ユーザ専用の記憶容量が割り当てられる。個人認証用の仮パスワードは、当該個人が本パーソナルＡＶデータ視聴システムの利用に当たって、オンラインで本パスワードに書き替え、しかる後、さらに、随時変更することが可能である。かくのごとき簡易な手続きを行うのみで、契約ユーザは、本パーソナルＡＶデータ視聴システムを、任意の時点で、任意の場所で、利用することができる状態になる。
【００３８】
（本実施例の効果の説明）
個人のＡＶデータの録画／録音データを保存する保存先を、インターネット３０などのネットワークを介して転送可能なＡＶセンター２０としているので、ユーザはＡＶセンター２０の契約記憶容量として契約時に比較的大容量の記憶容量を契約することによって、以降は記憶容量を気にせずに、個人のＡＶデータを１個のみならず複数に亘って、任意の時点で保存することができる。
【００３９】
而して、例えば過去に遡った膨大なＡＶデータであってもＡＶセンター２０に保存することによって、今まで眠っていた録画番組などのＡＶデータを整理することができ、かつ、簡単に視聴することもできるようになり、より楽しいＡＶライフを満喫することができるようになる。
【００４０】
なお、前述の実施例においては、個人のＰＣ１０とＡＶセンター２０との間を接続するネットワークとして、不特定多数のユーザが利用するインターネット３０を用いる場合について説明したが、ＶＰＮ（Ｖｉｒｔｕａｌ  Ｐｒｉｖａｔｅ  Ｎｅｔｗｏｒｋ）などの技術を利用した仮想的な専用網を用いるようにしても良いし、あるいは、帯域保証された専用線を利用するようにしても良い。さらには、地域ごとにパーソナルＡＶデータ視聴システムを構築する形態の場合であれば、地域ごとに設置されたローカルな専用のネットワーク構成を用いるようにしても良い。
【００４１】
また、個人が使用する情報端末についても、前述したように、ハードディスクを備えたＰＣであっても良いし、ハードディスクを備えていないシンクライアント端末であっても良い。あるいは、携帯電話、モバイルＰＣ、携帯情報端末などのモバイル端末であっても良い。さらには、個人所有の情報端末のみならず、ホテル、ホットスポット、ネットカフェなどの家庭外の環境に設置されているＰＣなどの情報端末についても、当該個人専用のＡＶ利用ソフトウェアをインストールすることが可能でありさえすれば、利用することができる。
【００４２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００４３】
【図１】本発明のパーソナルＡＶデータ視聴システムの概念を説明するための概念図である。
【図２】本発明のパーソナルＡＶデータ視聴システムの構成の一例を示すネットワーク構成図である。
【符号の説明】
【００４４】
１０        ＰＣ
１１        ＴＶ
１２        ＣＤ
１３        ビデオカメラ
１４        ビデオデッキ
１５        ＤＶＤ／ＨＤＤプレーヤ
１６        ＵＳＢメモリ
１７        携帯電話
１８        モバイルＰＣ
２０        ＡＶセンター
３０        インターネット
４０        高速通信回線（ＡＤＳＬ、ＦＴＴＨ等）
５０        通信回線
６０        基地局
７０        家庭外環境
【図１】
2008227793.tif 000003
【図２】
2008227793.tif 000004